(57)【特許請求の範囲】
【請求項１】
少なくとも１つの無線端末と、
前記無線端末と無線アンテナ部を介して通信接続する複数の無線アクセスポイントと、
前記無線アクセスポイントと通信接続する監視装置と、を備えるアクセスポイント監視システムであって、
前記無線端末は、前記無線アクセスポイントに対してスキャンを行い、前記各無線アクセスポイントのスキャン情報を前記監視装置に対して送信し、
前記監視装置は、前記無線端末から送信された前記各無線アクセスポイントのスキャン情報に基づいて、前記無線アクセスポイントの無線アンテナ部の異常を検出し、
前記無線端末は、リクエスト信号を送信し、前記無線アクセスポイントから前記リクエスト信号に対する応答信号を受信できないとき、前記無線アクセスポイントのスキャンを失敗と判断し、該スキャンの失敗回数を前記無線アクセスポイントのスキャン情報として、前記監視装置に対して送信し、
前記監視装置は、前記スキャン情報の失敗回数の全スキャン回数に対する割合が所定閾値以上となるとき、前記無線アクセスポイントの無線アンテナ部の異常を検出する監視部を有する、ことを特徴とするアクセスポイント監視システム。
【請求項２】
請求項１記載のアクセスポイント監視システムであって、
前記監視装置は、前記無線アクセスポイントの無線アンテナ部の異常を検出したときに、該異常を報知する報知部を有する、ことを特徴とするアクセスポイント監視システム。
【請求項３】
請求項２記載のアクセスポイント監視システムであって、
前記報知部は、前記無線アクセスポイントの無線アンテナ部の故障情報を表示する情報表示部である、ことを特徴とするアクセスポイント監視システム。
【請求項４】
請求項１乃至３のうちいずれか１項記載のアクセスポイント監視システムであって、
前記監視装置は、前記無線アクセスポイントの無線アンテナ部の異常を検出したとき、該無線アクセスポイントの無線アンテナ部の異常を自動的に修復する、ことを特徴とするアクセスポイント監視システム。
【請求項５】
請求項４記載のアクセスポイント監視システムであって、
前記監視装置は、前記無線アクセスポイントの無線アンテナ部の異常を検出したとき、該無線アクセスポイントの無線アンテナ部を再起動させる、ことを特徴とするアクセスポイント監視システム。
【請求項６】
請求項１乃至５のうちいずれか１項記載のアクセスポイント監視システムであって、
前記無線端末は、前記無線アクセスポイントに対してスキャンを行う無線スキャン部と、帰属する前記無線アクセスポイントの帰属情報を管理する帰属管理部と、前記監視装置とデータ通信を行うデータ通信部と、を有する、ことを特徴とするアクセスポイント監視システム。
【請求項７】
少なくとも１つの無線端末と、
前記無線端末と無線アンテナ部を介して通信接続する複数の無線アクセスポイントと、
前記無線アクセスポイントと通信接続する監視装置と、を備えるアクセスポイント監視システムの監視方法であって、
前記無線端末が、前記無線アクセスポイントに対してスキャンを行い、前記各無線アクセスポイントのスキャン情報を前記監視装置に対して送信し、
前記監視装置が、前記無線端末から送信された前記各無線アクセスポイントのスキャン情報に基づいて、前記無線アクセスポイントの無線アンテナ部の異常を検出し、
前記無線端末は、リクエスト信号を送信し、前記無線アクセスポイントから前記リクエスト信号に対する応答信号を受信できないとき、前記無線アクセスポイントのスキャンを失敗と判断し、該スキャンの失敗回数を前記無線アクセスポイントのスキャン情報として、前記監視装置に対して送信し、
前記監視装置は、前記スキャン情報の失敗回数の全スキャン回数に対する割合が所定閾値以上となるとき、前記無線アクセスポイントの無線アンテナ部の異常を検出する、ことを特徴とするアクセスポイント監視システムの監視方法。
【請求項８】
少なくとも１つの無線端末と無線アンテナ部を介して通信接続する複数の無線アクセスポイントと、通信接続する監視装置であって、
前記無線端末から送信される、前記無線アクセスポイントに対するスキャン情報に基づいて、前記無線アクセスポイントの無線アンテナ部の異常を検出し、
前記無線端末は、リクエスト信号を送信し、前記無線アクセスポイントから前記リクエスト信号に対する応答信号を受信できないとき、前記無線アクセスポイントのスキャンを失敗と判断し、該スキャンの失敗回数を前記無線アクセスポイントのスキャン情報として、前記監視装置に対して送信し、
前記監視装置は、前記スキャン情報の失敗回数の全スキャン回数に対する割合が所定閾値以上となるとき、前記無線アクセスポイントの無線アンテナ部の異常を検出する、ことを特徴とする監視装置。
【発明の詳細な説明】
【技術分野】
【０００１】
本発明は、無線端末が通信接続する無線アクセスポイントを監視するためのアクセスポイント監視システム、監視方法、及び監視装置に関するものである。
【背景技術】
【０００２】
無線端末が複数の無線アクセスポイントの中から１つの無線アクセスポイントを選択し、選択した無線アクセスポイントを介して通信を行う無線通信システムが知られている（例えば、特許文献１参照）。また、このような無線通信システムにおいて、例えば、監視装置が、各無線アクセスポイントを監視し、無線アクセスポイントの運用状況や、故障の有無をシステム保守者に対して報知する。監視装置は、例えば、無線アクセスポイントの故障やネットワーク障害により、無線アクセスポイントを監視できない場合、アラーム表示等を行い、システム保守者に対してその異常の報知を行う。
【先行技術文献】
【特許文献】
【０００３】
【特許文献１】特開２００６−３５２６６０号公報
【発明の概要】
【発明が解決しようとする課題】
【０００４】
しかしながら、例えば、無線端末と無線接続する無線アクセスポイント内部の無線アンテナ部のみが故障した場合、監視装置は、当該無線アクセスポイントを通常通り監視できることとなる。したがって、監視装置は、その無線アクセスポイントを正常として誤認識し、システム管理者は、その無線アクセスポイントの無線アンテナ部の障害を検知することが困難となる虞がある。
【０００５】
なお、各無線アクセスポイントが、例えば、送受信パケット数を監視する等の方法で、自身の無線アンテナ部を監視することも考えられるが、正常運用でも通信が無い場合、送受信パケット数が上がらない等の理由で、無線アンテナ部の正常性を正確に判断するのが困難となる。
【０００６】
本発明は、このような問題点を解決するためになされたものであり、無線アクセスポイントを最適に監視できるアクセスポイント監視システム、監視方法、及び監視装置を提供することを主たる目的とする。
【課題を解決するための手段】
【０００７】
上記目的を達成するための本発明の一態様は、少なくとも１つの無線端末と、前記無線端末と無線アンテナ部を介して通信接続する複数の無線アクセスポイントと、前記無線アクセスポイントと通信接続する監視装置と、を備えるアクセスポイント監視システムであって、前記無線端末は、前記無線アクセスポイントに対してスキャンを行い、前記各無線アクセスポイントのスキャン情報を前記監視装置に対して送信し、前記監視装置は、前記無線端末から送信された前記各無線アクセスポイントのスキャン情報に基づいて、前記無線アクセスポイントの無線アンテナ部の異常を検出する、ことを特徴とするアクセスポイント監視システムである。
【０００８】
他方、上記目的を達成するための本発明の一態様は、少なくとも１つの無線端末と、前記無線端末と無線アンテナ部を介して通信接続する複数の無線アクセスポイントと、前記無線アクセスポイントと通信接続する監視装置と、を備えるアクセスポイント監視システムの監視方法であって、前記無線端末が、前記無線アクセスポイントに対してスキャンを行い、前記各無線アクセスポイントのスキャン情報を前記監視装置に対して送信し、前記監視装置が、前記無線端末から送信された前記各無線アクセスポイントのスキャン情報に基づいて、前記無線アクセスポイントの無線アンテナ部の異常を検出する、ことを特徴とするアクセスポイント監視システムの監視方法であってもよい。
【０００９】
また、上記目的を達成するための本発明の一態様は、少なくとも１つの無線端末と無線アンテナ部を介して通信接続する複数の無線アクセスポイントと、通信接続する監視装置であって、前記無線端末から送信される、前記無線アクセスポイントに対するスキャン情報に基づいて、前記無線アクセスポイントの無線アンテナ部の異常を検出する、ことを特徴とする監視装置である。
【発明の効果】
【００１０】
本発明によれば、無線アクセスポイントを最適に監視できるアクセスポイント監視システム、監視方法、及び監視装置を提供することができる。
【図面の簡単な説明】
【００１１】
【図１】本発明の一実施形態に係るアクセスポイント監視システムの概略的な構成を示すブロック図である。
【図２】本発明の一実施形態に係るアクセスポイント監視システムにおける無線端末、無線アクセスポイント、及び無線ＬＡＮ監視装置の概略的な構成を示すブロック図である。
【図３】各無線アクセスポイントの隣接情報の一例を示す図である。
【図４】各無線アクセスポイントのスキャン統計情報の一例を示す図である。
【図５】各無線アクセスポイントのスキャン失敗回数閾値の一例を示す図である。
【図６】無線端末のスキャン情報の一例を示す図である。
【発明を実施するための形態】
【００１２】
以下、図面を参照して本発明の実施の形態について説明する。図１は、本発明の一実施形態に係るアクセスポイント監視システムの概略的な構成を示すブロック図である。本実施形態に係るアクセスポイント監視システム１０は、少なくとも１つの無線端末３０１と、無線端末３０１に無線を介して通信接続する複数の無線アクセスポイント（ＡＰ）１０１〜１０３と、各無線アクセスポイント１０１〜１０３にケーブルなどの有線を介して通信接続する無線ＬＡＮ（Ｌｏｃａｌ Ａｒｅａ Ｎｅｔｗｏｒｋ）監視装置２０１と、を備えている。
【００１３】
図２は、本実施形態に係るアクセスポイント監視システムにおける無線端末、無線アクセスポイント、及び無線ＬＡＮ監視装置の概略的な構成を示すブロック図である。
【００１４】
無線端末３０１は、無線スキャン部３０２と、帰属管理部３０３と、データ通信部３０４と、無線アンテナ部３０５と、を有している。無線スキャン部３０２は、周囲をスキャンするスキャン動作を行い、そのスキャン結果を無線ＬＡＮ監視装置２０１に対して送信する。帰属管理部３０３は、各無線アクセスポイント１０１〜１０３の帰属情報を管理する。データ通信部３０４は、各無線アクセスポイント１０１〜１０３との間で無線アンテナ部３０５を介して、データ通信を行う。無線端末３０１と各無線アクセスポイント１０１〜１０３は、夫々の無線アンテナ部３０５、４０２を介して相互に無線通信を行う。
【００１５】
無線端末３０１の無線スキャン部３０２は、例えば、無線端末３０１が無線アクセスポイント１０２に帰属したとき、帰属した無線アクセスポイント１０２に隣接する無線アクセスポイント１０１、１０３からスキャン結果がない場合、無線ＬＡＮ監視装置２０１に対してスキャン結果を送信する。
【００１６】
無線端末３０１は、無線アクセスポイント１０２に帰属した後、その無線アクセスポイント１０２の無線アンテナ部４０２の故障を検出した場合、別の無線アクセスポイント１０１、１０３に帰属した後に、無線ＬＡＮ監視装置２０１に、無線アクセスポイント１０２の故障を通知する。
【００１７】
ここで、各無線アクセスポイント１０１〜１０３の無線アンテナ部４０２の故障は、例えば、ｂｅａｃｏｎを含め、無線アンテナ部４０２からの無線区間に対し全種類のパケットが送信されない場合(例えば、無線アンテナ部４０２のハードウェア故障、無線アンテナ制御部４０３のソフトウェア故障など)、やｂｅａｃｏｎは送信されるが一部種類のパケット(例えば、認証用パケット、データパケット)が送信されない場合(例えば、無線アンテナ制御部４０３のソフトウェア故障)、などの無線アンテナ部４０２の送信側の故障と、ｂｅａｃｏｎは送信されるが認証用パケットやデータパケットが受信できない場合（例えば、無線アンテナ制御部４０３のソフトウェア故障）などの無線アンテナ部４０２の受信側の故障と、を含む。
【００１８】
無線アクセスポイント１０１〜１０３は、有線ＬＡＮ部４０１と、無線アンテナ部４０２と、無線アンテナ制御部４０３と、を有している。有線ＬＡＮ部４０１は、無線ＬＡＮ監視装置２０１との間で有線ＬＡＮ通信を行う。無線アンテナ部４０２は、例えば、ＩＥＥＥ８０１．１１に基づいて、無線端末３０１の無線アンテナ部３０５との間でインフラストラクチャモードによる通信接続を行う。
【００１９】
無線ＬＡＮ監視装置（監視装置）２０１は、監視部２０２と、情報表示部２０３と、を有している。監視部２０２は、各無線アクセスポイント１０１〜１０３の監視を行う。情報表示部２０３は、例えば、液晶や有機ＥＬなどから構成される表示画面上に、各無線アクセスポイント１０１〜１０３の故障の表示やアラーム表示等を行う。
【００２０】
無線ＬＡＮ監視装置２０１の監視部２０２は、例えば、無線端末３０１から受信したスキャン結果および各無線アクセスポイント１０１〜１０３の故障情報と、各無線アクセスポイント１０１〜１０３の有線部分の状態と、に基づいて、各無線アクセスポイント１０１〜１０３の無線アンテナ部４０２の故障を判断し、情報表示部２０３にその故障情報やアラーム表示を表示させる。なお、監視部２０２は、各無線アクセスポイント１０１〜１０３の無線アンテナ部４０２の故障情報を、音声等を用いてシステム保守者に報知してもよい。
【００２１】
システム保守者は、無線ＬＡＮ監視装置２０１の情報表示部２０３に表示された各無線アクセスポイント１０１〜１０３の状態を確認し、各無線アクセスポイント１０１〜１０３の運用を復旧する。なお、無線ＬＡＮ監視装置２０１は、各無線アクセスポイント１０１〜１０３の無線アンテナ部４０２の故障を、自動的に復旧するように構成されていてもよい。
【００２２】
無線ＬＡＮ監視装置２０１は、無線アンテナ部４０２の故障が発生した各無線アクセスポイント１０１〜１０３に対し、無線アンテナ部４０２の再起動を指示する。当該無線アクセスポイントの無線アンテナ制御部４０３は、無線ＬＡＮ監視装置２０１からの無線アンテナ部４０２の再起動指示に応じて、無線アンテナ部４０２を自動的に再起動する。
【００２３】
次に、本実施形態１に係るアクセスポイント監視システム１０の処理フローについて、詳細に説明する。
【００２４】
（初期化処理）
無線端末３０１が、例えば、無線アクセスポイント１０２に帰属すると、帰属された無線アクセスポイント１０２は、無線ＬＡＮ監視装置２０１に対して無線端末３０２の帰属情報を送信する。無線ＬＡＮ監視装置２０１は、無線アクセスポイント１０２から帰属情報を受信すると、その帰属情報に対応する無線端末３０１に対して、当該機能である無線アクセスポイント１０２の監視動作を行うか否かを問い合わせる。そして、無線端末３０１は、その問合せに応じて、無線アクセスポイント１０２の監視動作を行うことを、無線ＬＡＮ監視装置２０１に対して応答する。
【００２５】
（スキャン結果の送信処理）
無線端末３０１が無線アクセスポイント１０２に帰属する際、無線スキャン部３０２は近隣の無線をスキャンし、無線アクセスポイント１０１〜１０３のスキャン結果を受信する。
【００２６】
ここで、無線端末３０１のスキャンとは、例えば、無線端末３０１がＩＥＥＥ８０２．１１に基づくＰｒｏｂｅ  Ｒｅｑｕｅｓｔ信号（リクエスト信号）を周囲に送信することであり、スキャン結果とは、無線端末３０１からＰｒｏｂｅ  Ｒｅｑｕｅｓｔ信号を受信した各無線アクセスポイント１０１〜１０３が、Ｐｒｏｂｅ  Ｒｅｓｐｏｎｓｅ信号（応答信号）を無線端末３０１に対して返信することである。
【００２７】
無線端末３０１の無線スキャン部３０２は、各無線アクセスポイント１０１〜１０３から受信したスキャン結果を一定時間、保存する。無線端末３０１は、無線アクセスポイント１０２に帰属した後、無線アクセスポイント１０２の隣接する無線アクセスポイント１０１、１０３のスキャン結果を、無線ＬＡＮ監視装置２０１に対して送信する。
【００２８】
無線端末３０１が無線アクセスポイント１０２に帰属している間、無線端末３０１の無線スキャン部３０２は、所定周期で周辺を無線アクセスポイント１０１〜１０３のスキャンを行い、例えば、無線アクセスポイント１０２に隣接する無線アクセスポイント１０１、１０３のスキャン結果を、無線ＬＡＮ監視装置２０１に対して送信する。
【００２９】
（隣接情報の登録処理）
無線ＬＡＮ監視装置２０１は、無線アクセスポイント１０２に帰属している無線端末３０１から、スキャン情報５０４（図６）を受信した場合、図３に示す、無線アクセスポイント１０２の隣接情報５０１に、無線アクセスポイント１０１、１０３のＢＳＳＩＤ(Ｂａｓｉｃ Ｓｅｒｖｉｃｅ Ｓｅｔ Ｉｄｅｎｔｉｆｉｅｒ)などのネットワーク識別子を登録する。これにより、無線ＬＡＮ監視装置２０１は、無線アクセスポイント１０１、１０３が、無線アクセスポイント１０２に隣接していることを保持できる。
【００３０】
ここで、無線アクセスポイント１０２の隣接情報５０１に、無線アクセスポイント１０１、１０３を登録する条件として、例えば、無線端末３０１によって観測された、隣接する無線アクセスポイント１０１、１０３の受信信号強度と、無線アクセスポイント１０２の受信信号強度との差が、無線アクセスポイント１０１、１０３と無線アクセスポイント１０２との間隔に対して十分小さくなければならない。
【００３１】
例えば、無線アクセスポイント１０１、１０３と無線アクセスポイント１０２との間隔を１５ｍに設定した場合、２つの無線アクセスポイント１０１、１０３と１０２間の受信信号強度（Ｒｅｃｅｉｖｅｄ Ｓｉｇｎａｌ Ｓｔｒｅｎｇｔｈ Ｉｎｄｉｃａｔｉｏｎ）の差は、２０ｄＢ程度であるのが好ましい。
【００３２】
（無線アクセスポイントの故障時の処理）
無線端末３０１は、例えば、無線アクセスポイント１０２に帰属する際、周辺の無線アクセスポイント１０１、１０３の存在を確認するためにスキャンを行う。このとき、無線アクセスポイント１０１の無線アンテナ部４０２に故障が発生している場合、無線アクセスポイント１０１は、無線端末３０１から送信されるＰｒｏｂｅ  Ｒｅｑｕｅｓｔ信号に対して、Ｐｒｏｂｅ  Ｒｅｓｐｏｎｓｅ信号を返信できない。
（無線アクセスポイント故障時のスキャン結果送信処理）
【００３３】
無線端末３０１が各無線アクセスポイント１０１〜１０３のスキャンを行った結果、無線端末３０１は無線ＬＡＮ監視装置２０１に対し、例えば、無線アクセスポイント１０２のスキャン成功回数を含むスキャン情報５０４を送信する。このとき、無線アクセスポイント１０１の無線アンテナ部４０２が故障している場合、無線アクセスポイント１０１は無線端末３０１に対してＰｒｏｂｅ  Ｒｅｓｐｏｎｓｅ信号を返信できないため、上記スキャン情報５０４のスキャン成功回数には含まれない。
【００３４】
また、無線ＬＡＮ監視装置２０１の監視部２０２は、各無線アクセスポイント１０１〜１０３毎にスキャン統計情報５０２（図４）とスキャン失敗回数閾値５０３（図５）とを保持している。
【００３５】
スキャン統計情報５０２は、例えば、各無線アクセスポイント１０１〜１０３の、スキャン回数、スキャン失敗回数、最終スキャン時刻、及びスキャン失敗割合、などの情報が含まれる。また、スキャン失敗回数閾値５０３は、例えば、各無線アクセスポイント１０１〜１０３の、監視時間、最低スキャン回数、及びスキャン失敗割合、などの情報が含まれる。さらに、上記無線端末３０１のスキャン情報５０４（図６）には、例えば、スキャン回数、スキャン開始時刻、スキャン終了時刻、各無線アクセスポイント１０１〜１０３のスキャン成功回数、などの情報が含まれる。
【００３６】
無線ＬＡＮ監視装置２０１の監視部２０２は、無線端末３０１からスキャン情報５０４を受信し、例えば、無線アクセスポイント１０２のスキャン成功回数が１以上であり、無線アクセスポイント１０２に隣接する無線アクセスポイント１０１、１０３のスキャン成功回数が０であり、かつ、無線端末３０１のスキャン終了時刻が、無線アクセスポイント１０１のスキャン統計情報５０２の最終スキャン時刻と、スキャン失敗回数閾値５０３の監視時間と、の和を超えていない場合において、無線アクセスポイント１０１、１０３のスキャン統計情報５０２のスキャン失敗回数に、無線アクセスポイント１０１、１０３のスキャンに失敗した回数として、スキャン情報５０４のスキャン回数を加算する。
【００３７】
一方、無線ＬＡＮ監視装置２０１の監視部２０２は、無線端末３０１のスキャン終了時刻が、無線アクセスポイント１０１のスキャン統計情報５０２の最終スキャン時刻と、スキャン失敗回数閾値５０３の監視時間と、の和を超えている場合において、無線アクセスポイント１０１のスキャン統計情報５０２のスキャン失敗回数に、無線アクセスポイント１０１のスキャンに失敗した回数をとして、スキャン情報５０４のスキャン回数を設定する。
【００３８】
無線ＬＡＮ監視装置２０１の監視部２０２は、無線アクセスポイント１０１のスキャン統計情報５０２の最終スキャン時刻に、無線端末３０１のスキャン終了時刻を設定する。
（無線ＬＡＮ監視装置におけるアラーム表示処理）
【００３９】
無線ＬＡＮ監視装置２０１の監視部２０２は、無線アクセスポイント１０１のスキャン統計情報５０２におけるスキャン回数及びスキャン失敗回数に基づいて、スキャン失敗割合（スキャン失敗回数／スキャン回数）を算出する。情報表示部２０３は、監視部２０２により算出されたスキャン失敗割合が、スキャン失敗回数閾値５０３のスキャン失敗割合（所定閾値）を超えていると判断した場合、無線アクセスポイント１０１の無線アンテナ部４０２の故障情報をアラーム表示する。
【００４０】
ここで、監視部２０２の動作例として、スキャン失敗回数閾値５０３の監視時間を１分、最低スキャン回数を１０回、スキャン失敗割合を１００％として、無線アクセスポイント１０１のアンテナ部４０２に故障が発生し、スキャン結果を受けられない状態を想定する。
【００４１】
無線端末３０１が無線アクセスポイント１０１の周辺に移動し、スキャン動作を行うと、無線アクセスポイント１０１に隣接する無線アクセスポイント１０２のみがスキャン結果を無線端末３０１に対して送信する。無線端末３０１は、周辺の無線アクセスポイント１０１からスキャン結果が送信されないため、１分間に１０回のスキャンを行った後、無線アクセスポイント１０２に帰属する。そして、無線端末３０１は、無線ＬＡＮ監視装置２０１に対して、１分間のスキャンを１０回行い、無線アクセスポイント１０２から１０回スキャン結果が返信された旨のスキャン情報５０４を送信する。
【００４２】
無線ＬＡＮ監視装置２０１の監視部２０２は、無線アクセスポイント１０２の隣接情報５０１に基づいて、無線アクセスポイント１０１に隣接する、無線アクセスポイント１０２のスキャン統計情報５０２のスキャン回数に、無線端末３０１から送信されたスキャン情報５０４のスキャン回数を加算する。
【００４３】
無線ＬＡＮ監視装置２０１の監視部２０２は、スキャン失敗回数閾値５０３のスキャン失敗割合と、無線アクセスポイント１０２のスキャン統計情報５０２のスキャン失敗割合と、を比較することで、全ての無線端末３０１が１分間に１０回以上、１００％のスキャンを失敗したことを導出する。そして、監視部２０２は、情報表示部２０３に対して、無線アクセスポイント１０２のアラーム表示を行うよう指示する。無線ＬＡＮ監視装置２０１の情報表示部２０３は、監視部２０２からの指示に応じて、無線アクセスポイント１０２が故障した旨のアラーム表示を行う。
【００４４】
（無線アクセスポイント故障時における自動的再起動処理）
無線ＬＡＮ監視装置２０１の監視部２０２には、各無線アクセスポイント１０１〜１０３のアンテナ部４０２が故障した場合に、その復旧を自動的に行うための設定がなされている。また、監視部２０２は、例えば、無線アクセスポイント１０１のスキャン統計情報５０２のスキャン失敗割合の値が、スキャン失敗回数閾値５０３のスキャン失敗割合の値を超えていた場合、無線アクセスポイント１０１に対し、無線アンテナ部４０２の再起動を指示する。
【００４５】
無線アクセスポイント１０１の無線アンテナ制御部４０３は、無線ＬＡＮ監視装置２０１から無線アンテナ部４０２の再起動を指示された場合、無線アンテナ部４０２を再起動させる。
【００４６】
（無線アクセスポイント自体の運用停止時の処理）
例えば、無線アクセスポイント１０１の電源が遮断した場合や、無線ＬＡＮ監視装置２０１と無線アクセスポイント１０１の間の有線ＬＡＮネットワークが断絶した場合、などの理由で、無線アクセスポイント１０１の有線ＬＡＮ部４０１から応答がないときがある。この場合、無線ＬＡＮ監視装置２０１の監視部２０２は、情報表示部２０３に、無線アクセスポイント１０１の無線アンテナ部４０２の故障を表示させず、無線アクセスポイント１０１が運用停止状態にあることを表示させる。
（無線端末が現在帰属している無線アクセスポイントが故障した場合の動作）
【００４７】
無線端末３０１が無線アクセスポイント１０２に帰属し、無線アクセスポイント１０２の無線アンテナ部４０２が故障した場合を想定する。無線端末３０１は、定期的に周辺の無線アクセスポイント１０１〜１０３をスキャンする。そして、無線端末３０１は、無線アクセスポイント１０２からＰｒｏｂｅ  Ｒｅｓｐｏｎｓｅ信号（スキャン応答）が送信されないことを検知すると、現在帰属している無線アクセスポイント１０２から帰属解除し、隣接の無線アクセスポイント１０１、１０３に帰属する。
【００４８】
無線端末３０１は、上記スキャン動作を行い、無線アクセスポイント１０１、１０３に帰属した後、そのスキャン情報を無線ＬＡＮ監視装置２０１に対して送信する。無線ＬＡＮ監視装置２０１は、無線アクセスポイント１０１、１０３の隣接アクセスポイントである、無線アクセスポイント１０２のスキャン統計情報５０２の、スキャン回数と、スキャン失敗回数と、を加算する。
【００４９】
上述のようにして、無線ＬＡＮ監視装置２０１の監視部２０２は、無線アクセスポイント１０２のスキャン統計情報５０２のスキャン失敗割合の値が、スキャン失敗回数閾値５０３のスキャン失敗割合を超えていた場合、情報表示部２０３に、無線アクセスポイント１０２の無線アンテナ部４０２の故障情報を表示させる。
【００５０】
また、無線アクセスポイント１０１〜１０３の運用中、無線アクセスポイント１０１〜１０３の無線アンテナ部４０２が故障し、無線端末３０１を収容できなくなり、あるいは、無線端末３０１の送信データを中継できなくなった場合、無線ＬＡＮ監視装置２０１の情報表示部２０３がその故障情報を警告表示することで、システム保守者が故障を容易に検知し、修復することができる。この場合、無線ＬＡＮ監視装置２０１が故障を検知し、故障を自動的に修復することもできる。
【００５１】
さらに、無線アクセスポイント１０１〜１０３に複数の無線アンテナ部４０２を設けることなく、無線端末３０１が無線アクセスポイント１０１〜１０３の無線アンテナ部４０２の故障を調査し、その調査結果を無線ＬＡＮ監視装置２０１に対して通知することで、特別なハードウェアを追加することなく、例えば、無線アクセスポイント１０１〜１０３及び無線端末３０１のソフトウェア処理だけで無線アクセスポイント１０１〜１０３の無線アンテナ部４０２を監視することができる。
【００５２】
さらに、本実施形態に係るアクセスポイント監視システム１０は、無線アクセスポイント１０１〜１０３における、後述のような様々な異常を検知することもできる。
【００５３】
（認証シーケンス失敗時の処理）
無線端末３０１が無線アクセスポイント１０１に帰属中、無線アクセスポイント１０２に帰属を試みた場合、例えば、ＩＥＥＥ８０２．１１およびＩＥＥＥ８０１．１Ｘの正常な帰属処理において、Ａｕｔｈｅｎｔｉｃａｔｉｏｎ（クライアント認証）、Ａｓｓｏｃｉａｔｉｏｎ（アクセス権獲得）、及びキー交換のシーケンスが無線端末３０１の帰属管理部３０３と無線アクセスポイント１０２との間で実行される。
【００５４】
無線アクセスポイント１０２の無線アンテナ部４０２において異常が発生している場合、Ａｕｔｈｅｎｔｉｃａｔｉｏｎ、Ａｓｓｏｃｉａｔｉｏｎ、及びキー交換のいずれかのシーケンスに異常が生じるため、無線端末３０１は無線アクセスポイント１０２への帰属に失敗する。
【００５５】
無線端末３０１の帰属管理部３０３は、無線アクセスポイント１０２への帰属に失敗した後、無線アクセスポイント１０１への帰属を継続する。無線端末３０１は、無線アクセスポイント１０２への帰属に失敗したことを、無線ＬＡＮ監視装置２０１に対してその原因と共に通知する。そして、無線ＬＡＮ監視装置２０１は、図３に示す無線アクセスポイント１０２の隣接情報（故障情報）に含まれる、Ａｕｔｈｅｎｔｉｃａｔｉｏｎシーケンス失敗回数、Ａｓｓｏｃｉａｔｉｏｎシーケンス失敗回数、キー交換シーケンス失敗回数の何れかの失敗回数を加算する。
【００５６】
無線ＬＡＮ管理装置２０１の情報表示部２０３は、無線アクセスポイント１０２の故障情報に含まれる、無線端末３０１が無線アクセスポイント１０２への帰属に失敗した失敗回数と、帰属に失敗したシーケンスにおけるＡｕｔｈｅｎｔｉｃａｔｉｏｎ、Ａｓｓｏｃｉａｔｉｏｎ、及びキー交換の失敗回数を、シーケンス毎に表示する。システム保守者は、情報表示部２０３に表示されたこの失敗回数を観測することで、無線アクセスポイント１０２へ無線端末３０１が帰属に失敗していることを検知することができる。
【００５７】
なお、従来の課題として、無線端末が無線アクセスポイントに帰属できない障害が発生した場合に、帰属できない原因を調査するために、例えば、無線パケットキャプチャや、無線アナライズを行う必要があった。一方で、本実施形態に係るアクセスポイント監視システム１０によれば、無線端末３０１が正常な無線アクセスポイント１０１〜１０３に接続した後に、接続失敗の原因を無線端末３０１から無線ＬＡＮ監視装置２０１に対して送信することで、システム保守者が無線パケットキャプチャを行うことなく、無線アクセスポイント１０１〜１０３の障害を容易に解析することが出来る。
【００５８】
（無線アクセスポイントがデータパケットを転送できなくなった場合の処理）
例えば、無線端末３０１が無線アクセスポイント１０１に帰属中、無線アクセスポイント１０１の無線アンテナ部４０２が故障した場合を想定する。この場合、無線端末３０１のデータ通信部３０４は、無線アクセスポイント１０１に対し送信するデータパケットに対して、ＩＥＥＥ８０２．１１に定めるＡｃｋパケットを受信できないという事象を検出することで、無線アクセスポイント１０１に対してデータパケットを送信できないと判断する。そして、無線端末３０１は、無線アクセスポイント１０１から帰属解除し、無線アクセスポイント１０２、１０３に帰属する。
【００５９】
無線端末３０１は、無線アクセスポイント１０２、１０３を介して無線ＬＡＮ監視装置２０１に対し、無線アクセスポイント１０１を介してデータパケットを送信できなかった回数である、パケット送信失敗回数を送信する。
【００６０】
無線ＬＡＮ監視装置２０１は、無線アクセスポイント１０１の故障情報において、パケット送信失敗回数に、無線端末３０１が送信したパケット送信失敗回数を加算する。無線ＬＡＮ監視装置２０１の情報表示部２０３は、無線アクセスポイント１０１の故障情報の、パケット送信失敗回数を表示させることで、複数の無線端末３０１が無線アクセスポイント１０１に帰属しながら、データパケットを送信できなかったことをシステム保守者等に対して通知する。
【００６１】
システム保守者は、無線ＬＡＮ監視装置２０１の情報表示部２０３に表示されたこのデータパケットが送信できなかったパケット送信失敗回数を観測することで、無線アクセスポイント１０１の無線アンテナ部４０２に、データパケットの受信障害があることを検知することができる。なお、上述の如く、アクセスポイント監視システム１０が１つの無線端末３０１を備える構成について説明したが、複数の無線端末３０１を備える構成についても上記同様の作用効果を奏するため、詳細な説明を省略する。
【００６２】
以上、本実施形態に係るアクセスポイント監視システム１０において、無線ＬＡＮ監視装置２０１の監視部２０２は、無線端末３０１から送信される各無線アクセスポイント１０１〜１０３のスキャン情報に基づいて、各無線アクセスポイント１０１〜１０３の無線アンテナ部４０２の異常を検出し、情報表示部２０３に、その検出された無線アクセスポイント１０１〜１０３の無線アンテナ部４０２の故障情報を表示させる。これにより、システム管理者は、情報表示部２０３に表示された各無線アクセスポイント１０１〜１０３の無線アンテナ部４０２の故障情報を確認することで、各無線アクセスポイント１０１〜１０３を最適に監視できる。
【００６３】
なお、本発明は上記実施の形態に限られたものではなく、趣旨を逸脱しない範囲で適宜変更することが可能である。例えば、上記実施形態において、無線端末３０１がリクエスト信号を送信し、各無線アクセスポイント１０１〜１０３が応答信号を返信するアクティブスキャンが適用されているが、これに限らず、各無線アクセスポイント１０１〜１０３が制御信号（Ｂｅａｃｏｎフレーム）を無線端末３０１に対して送信するパッシブスキャンを適用してもよい。
【００６４】
また、上述の実施の形態では、本発明をハードウェアの構成として説明したが、本発明は、これに限定されるものではない。本発明は、例えば、無線ＬＡＮ監視装置２０１の監視部２０２、情報表示部２０３、各無線アクセスポイント１０１〜１０３の無線アンテナ制御部４０３などが実行する処理を、ＣＰＵ（Central Processing Unit）にコンピュータプログラムを実行させることにより実現することも可能である。
【００６５】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００６６】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６７】
さらに、上記実施の形態の一部又は全部は、以下の付記のようにも記載されうるが、以下には限られない。
【００６８】
（付記１）
少なくとも１つの無線端末と、前記無線端末と無線アンテナ部を介して通信接続する複数の無線アクセスポイントと、前記無線アクセスポイントと通信接続する監視装置と、を備えるアクセスポイント監視システムであって、前記無線端末は、前記無線アクセスポイントに対してスキャンを行い、前記各無線アクセスポイントのスキャン情報を前記監視装置に対して送信し、前記監視装置は、前記無線端末から送信された前記各無線アクセスポイントのスキャン情報に基づいて、前記無線アクセスポイントの無線アンテナ部の異常を検出する、ことを特徴とするアクセスポイント監視システム。
（付記２）
（付記１）のアクセスポイント監視システムであって、前記無線端末は、リクエスト信号を送信し、前記無線アクセスポイントから前記リクエスト信号に対する応答信号を受信できないとき、前記無線アクセスポイントのスキャンを失敗と判断し、該スキャンの失敗回数を前記無線アクセスポイントのスキャン情報として、前記監視装置に対して送信し、前記監視装置は、前記スキャン情報の失敗回数の全スキャン回数に対する割合が所定閾値以上となるとき、前記無線アクセスポイントの無線アンテナ部の異常を検出する監視部を有する、ことを特徴とするアクセスポイント監視システム。
（付記３）
（付記１）又は（付記２）のアクセスポイント監視システムであって、前記監視装置は、前記無線アクセスポイントの無線アンテナ部の異常を検出したときに、該異常を報知する報知部を有する、ことを特徴とするアクセスポイント監視システム。
（付記４）
（付記３）のアクセスポイント監視システムであって、前記報知部は、前記無線アクセスポイントの無線アンテナ部の故障情報を表示する情報表示部である、ことを特徴とするアクセスポイント監視システム。
（付記５）
（付記１）乃至（付記４）のうちいずれかのアクセスポイント監視システムであって、前記監視装置は、前記無線アクセスポイントの無線アンテナ部の異常を検出したとき、該無線アクセスポイントの無線アンテナ部の異常を自動的に修復する、ことを特徴とするアクセスポイント監視システム。
（付記６）
（付記５）のアクセスポイント監視システムであって、前記監視装置は、前記無線アクセスポイントの無線アンテナ部の異常を検出したとき、該無線アクセスポイントの無線アンテナ部を再起動させる、ことを特徴とするアクセスポイント監視システム。
（付記７）
（付記１）乃至（付記６）のうちいずれかのアクセスポイント監視システムであって、前記無線端末は、前記無線アクセスポイントに対してスキャンを行う無線スキャン部と、帰属する前記無線アクセスポイントの帰属情報を管理する帰属管理部と、前記監視装置とデータ通信を行うデータ通信部と、を有する、ことを特徴とするアクセスポイント監視システム。
（付記８）
少なくとも１つの無線端末と、前記無線端末と無線アンテナ部を介して通信接続する複数の無線アクセスポイントと、前記無線アクセスポイントと通信接続する監視装置と、を備えるアクセスポイント監視システムの監視方法であって、前記無線端末が、前記無線アクセスポイントに対してスキャンを行い、前記各無線アクセスポイントのスキャン情報を前記監視装置に対して送信し、前記監視装置が、前記無線端末から送信された前記各無線アクセスポイントのスキャン情報に基づいて、前記無線アクセスポイントの無線アンテナ部の異常を検出する、ことを特徴とするアクセスポイント監視システムの監視方法。
（付記９）
少なくとも１つの無線端末と無線アンテナ部を介して通信接続する複数の無線アクセスポイントと、通信接続する監視装置であって、前記無線端末から送信される、前記無線アクセスポイントに対するスキャン情報に基づいて、前記無線アクセスポイントの無線アンテナ部の異常を検出する、ことを特徴とする監視装置。
【符号の説明】
【００６９】
１０    アクセスポイント監視システム
１０１〜１０３    無線アクセスポイント
２０１    無線ＬＡＮ監視装置
２０２    監視部
２０３    情報表示部
３０１    無線端末
３０２    無線スキャン部
３０３    帰属管理部
３０４    データ通信部
３０５    無線アンテナ部
４０１    有線ＬＡＮ部
４０２    無線アンテナ部
４０３    無線アンテナ制御部
【図１】
0005170214.tif 000002
【図２】
0005170214.tif 000003
【図３】
0005170214.tif 000004
【図４】
0005170214.tif 000005
【図５】
0005170214.tif 000006
【図６】
0005170214.tif 000007